(57)【要約】【課題】肌触りが良好であって、デザイン性を向上しながら、拭き取り後においても凹状ラインの明瞭性が低下するのを抑えることができる繊維不織布シートを提供する。【解決手段】繊維不織布シートであるワイプスシート１０は、厚さ方向Ｚと、第１方向Ｘ及び第１方向Ｘに交差する第２方向Ｙと、厚さ方向Ｚに対向する第１面１１及び第２面１２を有し、構成繊維を交絡することによって形成されたものである。繊維不織布シート１０は、第１面１１において第２面１２側へ凹となる、繊維交絡によって形成された凹状ライン１８を有している。繊維不織布シート１０は、繊維密度が小さい低密度領域５１と、低密度領域５１よりも繊維密度が大きい高密度領域５２とを有している。凹状ライン１８は、幅方向の中央に位置する低密度領域５１と、低密度領域の両側に位置する高密度領域５２とを有している。高密度領域５２の親水性繊維の量が、低密度領域５１の親水性繊維の量よりも多い。【選択図】図３
2019119956.tif 000002
【特許請求の範囲】
【請求項１】
厚さ方向と、第１方向及び前記第１方向に交差する第２方向と、前記厚さ方向に対向する第１面及び第２面を有し、構成繊維を交絡することによって形成された繊維不織布シートにおいて、
前記第１面において前記第２面側へ凹となる、繊維交絡によって形成された凹状ラインを有し、
繊維密度が小さい低密度領域と、前記低密度領域よりも繊維密度が大きい高密度領域とを有し、
前記凹状ラインは、幅方向の中央に位置する前記低密度領域と、前記低密度領域の両側に位置する前記高密度領域とを有し、
前記高密度領域の親水性繊維の量が、前記低密度領域の親水性繊維の量よりも多いことを特徴とする繊維不織布シート。
【請求項２】
前記高密度領域は、前記第２面から突出する突出部を有する請求項１に記載の繊維不織布シート。
【請求項３】
前記第１面を形成する第１繊維層と、前記第２面を形成する第２繊維層と、前記第１繊維層と前記第２繊維層との間に位置する親水性繊維を含む中間繊維層とを有し、
前記第１方向へ引張力を付与することによって、前記凹状ラインにおいて繊維交絡が解かれて前記第１面の表面に前記中間繊維層の前記親水性繊維が露出される請求項１又は２に記載の繊維不織布シート。
【請求項４】
前記第１繊維層が主として疎水性繊維から構成されている請求項３に記載の繊維不織布シート。
【請求項５】
前記第１繊維層の表面には撥水処理が施されている請求項３又は４に記載の繊維不織布シート。
【請求項６】
ドライ状態またはウエット状態で使用するワイプス用である請求項１〜５のいずれかに記載の繊維不織布シート。
【発明の詳細な説明】
【技術分野】
【０００１】
この発明は、繊維を交絡することによって形成された繊維不織布シートに関する。
【背景技術】
【０００２】
従来、構成繊維を交絡することにより形成された繊維不織布シートは公知である。例えば、特許文献１には、パルプ繊維と熱融着繊維とを含み、繊維の交絡によって形成された繊維ウエブの製造工程において、加熱加圧下でエンボス（デボス）加工することによって形成された凹凸模様を備えた繊維不織布シートが開示されている。
【先行技術文献】
【特許文献】
【０００３】
【特許文献１】特開２００７−８１４５号公報（２００７−８１４５Ａ）
【０００４】
特許文献１に開示の繊維不織布シートは、加熱加圧下でエンボス加工されることによって賦形された凹凸模様を有するから、デザイン性に優れるとともに、液体を吸収した後であっても、凹凸模様の形状を維持することができる。
【発明の概要】
【発明が解決しようとする課題】
【０００５】
しかしながら、加熱加圧された凹状部分において熱融着繊維が熱融着されることによって硬くなり一部がフィルム化しているため、シートにおいて最も硬化した部分となり、繊維不織布シートの柔軟性が損なわれて肌触りが悪くなるとともに、拭き取り時にシートの変形に対応することができずに破れやすくなる。特に、かかる繊維不織布シートを身体に付着した排泄物を拭き取るためのワイプスシートとして使用した場合には、硬化した凹状部分が乳幼児等の被使用者の肌に当たって不快感を与えるとともに、一部が破れて母親等の使用者の指先が排泄物で汚れるおそれがあった。
【０００６】
また、インドネシア等の東南アジアの国々では、ワイプスシートを使用する前に、使用者がシートの両側をそれぞれ手で掴んだ後、シートを引っ張って、繊維交絡を解くことによってシートの面積を拡げて使用することがある。かかる場合において、エンボス加工によって凹凸模様が形成されたシートを引っ張ったときには、凹状部分の一部が破断してしまうおそれがある。
【０００７】
そこで、本発明の課題は、肌触りが良好であって、デザイン性を向上しながら、拭き取り後においても凹状ラインの明瞭性が低下するのを抑えることができる繊維不織布シートを提供することにある。
【課題を解決するための手段】
【０００８】
本発明は、厚さ方向と、第１方向及び前記第１方向に交差する第２方向と、前記厚さ方向に対向する第１面及び第２面を有し、構成繊維を交絡することによって形成された繊維不織布シートに関する。
【０００９】
本発明に係る繊維不織布シートは、前記第１面において前記第２面側へ凹となる、繊維交絡によって形成された凹状ラインを有し、繊維密度が小さい低密度領域と、前記低密度領域よりも繊維密度が大きい高密度領域とを有し、前記凹状ラインは、幅方向の中央に位置する前記低密度領域と、前記低密度領域の両側に位置する前記高密度領域とを有し、前記高密度領域の親水性繊維の量が、前記低密度領域の親水性繊維の量よりも多いことを特徴とする。
【００１０】
繊維不織布シートは、前記第１面を形成する第１繊維層と、前記第２面を形成する第２繊維層と、前記第１繊維層と前記第２繊維層との間に位置する親水性繊維を含む中間繊維層とを有し、前記第１方向へ引張力を付与することによって、前記凹状ラインにおいて繊維交絡が解かれて前記第１面の表面に前記中間繊維層の前記親水性繊維が露出される。このため、繊維不織布シートをウエット状態で用いるとき、引張力を付与する前において、パルブ繊維が外部に露出されないため、パルプ繊維に吸収された薬液が揮発するのを抑えることができる。加えて、引張力を付与した後においては、中間繊維層の親水性繊維が第１面の表面に露出するため、中間繊維層で保持していた薬液も第１面の表面に露出し、異物を拭き取るのが容易になる。
【００１１】
繊維不織布シートの前記高密度領域は、前記第２面から突出する突出部を有する。このため、第１面の表面には、凹状ラインがある一方、第２面の表面には突出部がある。よって、はがれやすい異物を拭き取るときには、第１面を使用し、異物を凹状ラインに収容しながら拭き取ることができる一方、固着している異物を拭き取るときには第２面を使用し、異物を掻き取りながら拭き取ることができる。
【００１２】
繊維不織布シートにおける前記第１繊維層が主として疎水性繊維から構成されている。このため、繊維不織布シートをウエット状態で用いるとき、引張力を付与する前において、パルブ繊維が疎水性の第１繊維層に囲まれて外部に露出されないため、パルプ繊維に吸収された薬液が揮発するのを抑えることができる。
【００１３】
繊維不織布シートにおける前記第１繊維層の表面には撥水処理が施されている。このため、繊維不織布シートをウエット状態で用いるとき、引張力を付与する前において、パルブ繊維は撥水処理が施された第１繊維層に囲まれて外部に露出されないため、パルプ繊維に吸収された薬液が揮発するのを抑えることができる。
【００１４】
繊維不織布シートは、ドライ状態またはウエット状態で使用するワイプス用である。これによって、上述した作用・効果を有するワイプス用のシートを提供できる。
【発明の効果】
【００１５】
本発明に係る繊維不織布は、第１面において第２面側へ凹となる、繊維交絡によって形成された凹状ラインを有するため、肌触りが良好でありながらデザイン性を向上することができる。しかも、凹状ラインは、幅方向の中央に位置する低密度領域と、低密度領域の両側に位置する前記高密度領域とを有するため、拭き取り時、高密度領域の外側に異物を溜め、凹部に異物が入るのを抑えることができ、これによって、拭き取り後においても凹状ラインの明瞭性が低下するのを抑えることができる。加えて、高密度領域の親水性繊維の量が、低密度領域の親水性繊維の量よりも多い。このため、ドライ状態で使用したときには、異物に含まれていた水分を高密度領域で吸収することができる一方、ウエット状態で使用したときには、高密度領域で含んでいた水によって異物を拭き取ることができる。
【図面の簡単な説明】
【００１６】
図面は、本発明の特定の実施の形態を示し、発明の不可欠な構成ばかりでなく、選択的及び好ましい実施の形態を含む。
【図１】本発明に係る繊維不織布シートの一例として示す、ワイプスシートの斜視図。
【図２】ワイプスシートの平面図。
【図３】（ａ）図２のＩＩＩ（ａ）−ＩＩＩ（ａ）に沿う断面図。（ｂ）図２のＩＩＩ（ａ）−ＩＩＩ（ａ）に沿う断面図。
【図４】ワイプスシートを拭き取りに使用した後の断面図。
【図５】使用者が、ワイプスシートの両側を把持して第１方向へ引っ張った状態を示す説明図。
【図６】（ａ）第１方向へ引っ張った後のワイプスシートの平面図。（ｂ）図５のＶＩ（ｂ）−ＶＩ（ｂ）に沿う断面図。
【図７】（ａ）図３（ｂ）のＶＩＩ（ａ）で囲んだ領域の拡大図。（ｂ）図６のＶＩＩ（ｂ）で囲んだ領域の拡大図。
【図８】引張試験の測定を示す説明図。
【図９】ワイプスシートの製造装置の一部における、水流噴射工程の斜視図。
【図１０】（ａ）サクションドラムにおいて、水流が噴射される前の線状凸部上の繊維ウエブの拡大図。（ｂ）サクションドラムにおいて、水流が噴射された後の線上凸部上の繊維ウエブの拡大図。
【発明を実施するための形態】
【００１７】
図１〜図３を参照すると、本発明の繊維不織布シートの一例として示すワイプスシート（拭き取りシート）１０は、構成繊維を交絡することによって形成された嵩高かつ柔軟なシートであって、互いに交差（直交）する第１方向Ｘと第２方向Ｙと、第１方向Ｘ及び第２方向Ｙにそれぞれ交差（直交）する厚さ方向Ｚと、厚さ方向Ｚにおいて互いに対向する第１面１１及び第２面１２とを有する。本明細書において、第１面１１を第１拭き取り面、第２面１２を第２拭き取り面ともいう。
【００１８】
ワイプスシート１０は、略矩形状であって、第２方向Ｙにおいて互いに対向して第１方向Ｘへ延びる第１端縁１０ａ及び第２端縁１０ｂと、第１方向Ｘにおいて互いに対向して第２方向Ｙへ延びる第１側縁１０ｃ及び第２側縁１０ｄとからなる外周縁を有する。
【００１９】
ワイプスシート１０は、ドライ状態又はウエット状態で使用するものであって、例えば、使い捨てお尻拭きシート、使い捨て清掃用シート、使い捨ておしぼり等に用いることができる。また、本発明に係る繊維不織布シートは、ワイプス用に限らず、生理用ナプキン、使い捨ておむつ及び母乳パッド等の衛生用品の肌対向面側に配置される表面シート等を構成するシート材料として好適に用いることができる。
【００２０】
ワイプスシート１０をウエットワイプスとして使用する場合には、それに含浸させる薬剤として、例えば、界面活性剤、保湿剤、肌に清涼感を与えるためのエタノール等の清涼感付与剤、エモリエント剤、ＰＨ調整剤、香料、酸化防止剤、キレート剤、植物エキス、褐色防止剤、消炎剤、皮膚賦活剤、収斂剤などを１種または２種以上含めたものを使用することができる。
【００２１】
図３を参照すると、ワイプスシート１０は、第１面１１側を形成する第１繊維層２１と、第２面１２側を形成する第２繊維層２２と、第１繊維層２１と第２繊維層２２との間に位置する中間繊維層（第３繊維層）２３とを含む。第１繊維層２１、第２繊維層２２及び中間繊維層２３は、それらを構成する繊維どうしが三次元的に互いに交絡されて複合化された多層構造を有する。
【００２２】
第１繊維層２１及び第２繊維層２２には、親水性繊維と合成繊維との混合繊維ウエブを用いることができる。親水性繊維の材料としては、吸水繊維が好ましく、さらに好ましくは、レーヨン繊維等の再生繊維、コットン繊維等を用いることができる。合成繊維としては、ポリエステル系繊維、例えば、ポリエチレンテレフタレート（ＰＥＴ）のほか、ポリオレフィン系繊維、例えば、ポリプロピレン（ＰＰ）、ポリエチレン（ＰＥ）の各繊維およびこれらを用いた芯鞘型の複合繊維を用いることができる。複合繊維の鞘部分を形成する材料には、芯部分を形成する材料に比べて溶融温度の低いものが使用される。
【００２３】
かかる芯鞘型の複合繊維としては、例えば、ポリエチレンとポリプロピレン、ポリエチレンとポリエステル、ポリプロピレンとポリエステルの組み合わせ等がある。「合成繊維」とは、その繊維自体の材料が疎水性を有するものであって、その材料を親水化剤で処理したものも含まれる。その材料からなる繊維の親水化処理としては、繊維表面に親水化剤（油剤）を付着したもの、又はその繊維内に親水化剤（油剤）を含有させたものが挙げられる。
【００２４】
本実施形態において、第１繊維層２１及び第２繊維層２２には、好ましくは、レーヨン繊維とＰＥＴ（ポリエチレンテレフタレート）繊維とを２０：８０〜５０：５０の割合（質量％）で混同した繊維ウエブから形成されている。このように、熱可塑性樹脂繊維であるＰＥＴ繊維のほかに、再生繊維であるレーヨン繊維を混合することによって、図柄域４０を形成する凹状ライン１８の繊維量が少なくても一定量の液の馴染み易さ確保することができる。ＰＥＴ繊維は、合成繊維の中で最も生産量が多いポリエステル系繊維の一種であって、強度性、耐熱性、耐水性、耐酸性、耐アルカリ性等に優れ、ワイプスシートのシート材料として好適である。
【００２５】
第１繊維層２１及び第２繊維層２２は主として疎水性の繊維から構成されていることから疎水性層といえ、中間繊維層２３は、主として親水性繊維から構成されていることから、親水性層といえる。
【００２６】
中間繊維層２３は、レーヨン、コットン、パルプ等の親水性繊維、好ましくは、パルプ繊維から形成され、使用されるパルプ繊維は一般的に使用される広葉樹及び針葉樹の木材繊維のほかに、木材パルプ繊維以外の植物繊維や合成繊維（好ましくは、親水化処理されたもの）などを組み合わせることができる。パルプ繊維は、繊維が短く、単位面積当たりの繊維本数が多くなって、中間繊維層２３の白色度が比較的に高くなって、図柄域４０の視認性を高めることができる。また、パルプ繊維の他に、マニラ麻、楮、三椏、リンターパルプを混合してもよい。
【００２７】
ワイプスシート１０の厚さ寸法Ｄ１は約０．３〜１．０ｍｍ、質量は約４０〜６０ｇ／ｍ２、見掛け密度は０．０３〜０．０９ｇ／ｃｍ３である。ワイプスシート１０の厚さ寸法Ｄ１の測定には、厚さ測定器（ＰＥＡＣＯＣＫ社製、測定面φ４４ｍｍ、測定圧３ｇ／ｃｍ３）を使用した。
【００２８】
第１繊維層２１及び第２繊維層２２に使用されるレーヨン繊維及びＰＥＴ繊維の繊度は１．５〜２．５ｄｔｅｘ、また、レーヨン繊維及びＰＥＴ繊維の繊維長は、２０〜５０ｍｍ、好ましくは、３５〜４５ｍｍである。中間繊維層２３に使用されるパルプ繊維の繊維長は、１〜１０ｍｍ、好ましくは、２〜５ｍｍである。ワイプスシート１０の第１及び第２面を形成する第１及び第２繊維層２１，２２の構成繊維の平均繊度、平均繊維長を中間繊維層２３の構成繊維よりも大きくすることによって、地合い（繊維のムラ）が良好となって、図柄域４０を構成する凹状ライン１８の繊維量の差を抑えて、所要の視認性及び形状安定性を確保することができる。
【００２９】
図２及び図３を参照すると、ワイプスシート１０は、第１面１１において第２面１２の側へ凹となる凹状ライン１８から形成された図柄域４０を有する。凹状ライン１８は、構成繊維の交絡によって形成されており、有底の底部１８ａと、図３（ｂ）に示す凹状ライン１８の横断面において、底部１８ａを壁のように囲む両側部１８ｂとを有する。
【００３０】
図３（ｂ）を参照すると、ワイプスシート１０は、凹状ライン１８の底部１８ａに位置する低密度領域５１と、低密度領域５１の少なくとも両側に位置する低密度領域５１よりも繊維密度が大きい高密度領域５２と、低密度領域５１よりも繊維密度が大きく、かつ、高密度領域５２よりも繊維密度の小さい中密度領域５３とを有する。すなわち、凹状ライン１８の底部１８ａにおいて最も繊維密度が低く、底部１８ａの外周縁を囲むように、少なくとも両側に位置する部分には最も繊維密度の高い高密度領域５２が位置している。
【００３１】
ワイプスシート１０は、このような繊維密度差を有し、低密度領域５１からなる凹状ライン１８の底部１８ａを囲むように高密度領域５２が位置して密度差によるコントラストが形成されている。外観においても繊維の疎密によって凹状ライン１８（の底部１８ａ）の外周縁を縁取りするように高密度領域５２が色濃く視認されて、より凹状ライン１８の輪郭がはっきりと視認されうる。
【００３２】
また、高密度領域５２は、第２面１２側において中密度領域５３よりも外方へ突出した突出部分５４を有している。このように、高密度領域５２が第２面１２側において外方へ突出した立体形状を有していることから、使用者が、凹状ライン１８が形成されていない第２面１２側から視た場合であっても、凹状ライン１８の輪郭を把握することができる。したがって、高密度領域５２と低密度領域５１とによる密度差による色の濃淡によるコントラストと相俟って、第１面１１のみならず第２面１２からも凹状ライン１８の輪郭をよりはっきりと視認させることができる。
【００３３】
ワイプスシート１０をウエット状態で使用する場合には、第１繊維層２１と第２繊維層２２との間に介在された中間繊維層２３に吸水性の大きなパルプ繊維が位置することによって、使用前において、パルプ繊維が外部に露出されず、パルプ繊維に吸収された薬液が揮発することを抑えることができる。
【００３４】
ワイプスシート１０の凹状ライン１８の底部１８ａ、すなわち、低密度領域５１に位置するパルプ繊維の含有率（重量％）は、高密度領域５２及び中密度領域５３のパルプ繊維の含有率（重量％）よりも小さくなっている。低密度領域５１のパルプ繊維の含有率が比較的に小さいことから、比較的に保液性が低いといえるが、凹状ライン１８の底部１８ａは直接的に被拭き取り面に接触する部分ではないので高い保液性を要さず、むしろ他の領域５２，５３に比べてドライな状態であることによって引張強度が向上して、より破れ難くなっている。また、高密度領域５２の親水性繊維の量が、低密度領域５１の親水性繊維の量よりも多いため、ドライ状態で使用したときには、異物に含まれていた水分を高密度領域５２で吸収することができる一方、ウエット状態で使用したときには、高密度領域５２で含んでいた水によって異物を拭き取ることができる。
【００３５】
＜パルプ繊維の繊維密度の測定方法＞
カミソリ等の切断具でワイプスシート１０の一部をカットしてサンプルとし、サンプルのシート切断面を市販の走査電子顕微鏡（例えば、（株）キーエンス社製のリアルサーフェスビュー顕微鏡ＶＥ−７８００（商品名））を用いて拡大観察した。ワイプスシート１０は、図柄域４０の凹状ライン１８と交差するように、第２方向Ｙ（製造工程における機械方向ＭＤ）と直交する第１方向Ｘへ延びるカットラインに沿ってカットした。また、シート切断面に現れる繊維が２０〜７０本程度計測できるように、７０〜３００倍に拡大して観察し、低密度領域５１，高密度領域５２及び中密度領域５３の各領域において、一定面積（約０．５ｍｍ２）当たりにおけるパルプ繊維の断面数を数えた。
【００３６】
次に、測定値を１．０ｍｍ２当たりのパルプ繊維の断面数に換算した値を繊維密度とした。ワイプスシート１０のカットラインの位置を変えて複数のサンプルを得て、各サンプルについて同様の測定を３回行い、その平均を各領域のパルプ繊維の繊維密度とした。
【００３７】
図柄域４０は、互いに異なるデザインからなる第１図柄部４１と第２図柄部４２とを有する。第１図柄部４１は、凹状ライン１８から形成された、略円形状の外形線４１Ａと、外形線４１Ａに囲まれた略星形状の図柄４１Ｂとを有する。第２図柄部４２は、略楕円形状の外形線４２Ａと、外形線４２Ａに囲まれた、複数の文字が第２方向Ｙに並ぶ複数列に配置されてなる図柄４２Ｂとを有する。第１図柄部４１と第２図柄部４２とは、第１方向Ｘの略中央において並んで位置している。
【００３８】
図柄域４０は、さらに、第１図柄部４１及び第２図柄部４２が切断され、それらの一部である第３図柄部４３とハート形の比較的に小さな第４図柄部４４とをさらに有する。第１図柄部４１及び第２図柄部４２は、第１面１１において比較的に大きな面積を有し、それ単独で完全なデザイン性を発揮して使用者に印象付けることができるものであるから主たる図柄（主図柄）であるといえる。一方、第３図柄部４３は不完全であってそれ単独で任意のデザイン性を発揮するものではなく、また、第４図柄部４４は比較的に小さくそれ単独では使用者に印象付けるようなデザイン性を発揮するものとはいえないので、第３図柄部４３及び第４図柄部４４は、副次的な図柄（副図柄）であるといえる。第３図柄部４３及び第４図柄部４４は、第１図柄部４１及び第２図柄部４２を囲むように外側に位置している。これによって、ワイプスシート１０のデザイン性を向上することができる。
【００３９】
第１図柄部４１及び第２図柄部４２は、独立かつ閉鎖した外形線４１Ａ，４２Ａを有し、外形線４１Ａ，４２Ａはワイプスシート１０の外周縁（第１端縁１０ａ、第２端縁１０ｂ、第１側縁１０ｃ及び第２側縁１０ｄによって画成される外周縁）から離れて位置している。ここで、第１図柄部４１及び第２図柄部４２の外形線４１Ａ，４２Ａが独立しているとは、織生地の地模様のように布地の外周縁まで延びてその外形状全体を把握することのできない連続模様ではなく、ワイプスシート１０の外周縁から離れて位置し、完全に独立したデザイン性を有するものを意味する。したがって、例えば、第３図柄部４３のように、外形線４３Ａがシート外周縁にまで到達して全体的なデザインを把握することができないものは、独立した外形線には該当しない。
【００４０】
また、第１図柄部４１及び第２図柄部４２の外形線４１Ａ，４２Ａが閉鎖しているとは、外形線４１Ａ，４２Ａが図柄４１Ｂ，４２Ｂを囲むように連続的又は非連続的に延びていることを意味する。外形線４１Ａ，４２Ａは、図柄４１Ｂ，４２Ｂを囲んだ態様を有する限りにおいては、円形、楕円形、三角形、多角形等の各種公知の形状を有していてもよい。
【００４１】
第１図柄部４１の図柄４１Ｂ及び第２図柄部４２の図柄４２Ｂは、一見して使用者に認識されるようなデザイン性を有するものであることが好ましく、図示例のほかに、アニメや漫画のキャラクター、企業の宣伝用のロゴや各種公知の意匠デザイン、文字、図形、記号並びにそれらの組み合わせによるメッセージ性のあるデザイン等を含む。文字には、アルファベット文字、平仮名文字、カタカナ文字、漢字及び諸外国語の文字（例えば、インドネシア語の文字）等を含む。第４図柄部４４は、一見して使用者に認識されるようなデザイン性を有するものである必要はなく、図示例のほかに、スター（星）形状、バブルを模した円環形状等であってもよい。
【００４２】
ワイプスシート１０において、第１図柄部４１及び第２図柄部４２は立体的な形状を有する主たるデザイン領域であるとともに、排泄物や粉塵等の異物を拭き取るための拭き取り領域ともいえる。すなわち、ワイプスシート１０を使用するときには、第１面１１を拭き取り面として、身体やテーブル等の被拭き取り面に付着した汚れを凹状ライン１８の両側部１８ｂの第１面１１側の端縁（エッジ）１８ｃを利用して汚れを掻き取るように効果的に拭き取ることができる。例えば、図４に示すように、第１面１１を使用して拭き取りを行うと、高密度領域５２は厚さ方向の収縮が小さい一方、高密度領域５２の外側における中密度領域５３は厚さ方向の収縮が大きい。よって、拭き取りの際、高密度領域５２の外側に位置する中密度領域５３の第１面１１に凹部４８ができる。よって、異物の拭き取りの際、低密度領域５１の両側に位置する高密度領域５２の外側に異物を溜め、凹状ライン１８の内部に異物が入るのを抑えることができ、これによって、拭き取りの後においても凹状ラインの明瞭性が低下するのを抑えることができる。
【００４３】
使用者が第１図柄部４１又は第２図柄部４２を指で押さえて被拭き取り面に付着した汚れを効率的に拭き取るためには、第１図柄部４１及び第２図柄部４２は所要の大きさを有することが好ましく、例えば、ワイプスシート１０の表面積の少なくとも１０％以上の面積を有することが好ましい。一方、第４図柄部４４は、比較的に小さな面積を有するものであるから、主たる拭き取り域として機能するものではない。
【００４４】
通常、ワイプスシートには、嵩高性及び肌触り性を考慮して、水流交絡処理によって形成されたスパンレース繊維不織布が好適に使用され、そのデザイン性や拭き取り性を向上させるために、シート表面に繊維交絡によってシート表面から全体的に隆起した立体的な図柄を付与し、幾何学模様やレース模様等の凹凸模様を付与することは知られている。
【００４５】
ワイプスシートにシート表面から隆起した立体的な図柄を付与した場合には、印刷による図柄に比べてよりデザイン性が向上するとともに、隆起した外周縁部によって汚れを拭き取ることができる。しかしながら、図柄自体が隆起状を有することから、拭き取り時に被拭き取り面に摺接され、摩擦によって図柄部の形態が崩れてしまうおそれがある。
【００４６】
一方、ワイプスシートに連続した凹凸模様を付した場合には、図柄として完全に独立したものではないことから、使用者に対して強くそのデザインを印象付けることができない。また、製造時に流体によって機械方向へ連続して付与されるものであるから、完全に独立した態様を有することによって初めてその意匠性を発揮しうるもの、例えば、キャラクターや文字、記号等の高いデザイン性やメッセージ性を有するものを採用することはできない。
【００４７】
さらに、ワイプスシートに熱エンボス（デボス）処理を施すことによって、複数の凹状ラインからなる図柄部を形成する場合もあるが、かかる場合には、熱エンボス加工によって構成繊維が熱溶着されて凹状ライン内が比較的に硬くなってしまい、スパンレース不織布本来の柔軟性や風合いが損なわれる。また、乳幼児のお尻拭きシートして使用した場合には、エンボス加工された部分が肌に当たって不快感や刺激を与えるおそれがあるとともに、破れやすくなる。
【００４８】
本実施形態に係るワイプスシート１０においては、図柄域４０を形成する凹状ライン１８が、構成繊維の交絡によって形成されたものであることから、熱エンボス処理によって形成される場合に比べて不織布全体として柔軟であって良好な肌触りを有し、スパンレース不織布独特の柔軟性を維持することができる。また、第１図柄部４１及び第２図柄部４２が、独立した外形線４１Ａ，４２Ａを有することから、完全に独立した態様を有するデザインを採用することができ、シート外周縁まで延びる単なる連続模様に比べて、デザイン性に優れて美的外観を向上させることができる。
【００４９】
図柄域４０自体が隆起する場合には、光が乱射してその外形輪郭がぼやけるおそれがあるが、それが凹状ライン１８によって形成されていることから、使用者に対してその外形輪郭をより鮮明に把握させることができる。また、拭き取り時には凹状ライン１８以外の部分が被拭き取り面に直接摺接されるので、摩擦によって凹状ライン１８の形状が崩れて図柄域４０が大きく変形されることはない。
【００５０】
第１図柄部４１及び第２図柄部４２においては、外形線４１Ａ，４２Ａが閉鎖状であって、外形線４１Ａ，４２Ａに囲まれるように図柄４１Ｂ，４２Ｂが配置されている。図柄４１Ｂ，４２Ｂが外形線４１Ａ，４２Ａに囲まれていることによって、使用者が引っ張ったり揉み解したりしてワイプスシート１０を変形させた場合であっても、外形線４１Ａ，４２Ａを起点として変形するので、図柄４１Ｂ，４２Ｂはその形状を維持することができる。また、拭き取り時において被拭き取り面を比較的に強く擦って外形線４１Ａ，４２Ａの形状が崩れるとしても、それらに囲まれた図柄４１Ｂ，４２Ｂの形状が崩れるのを抑制することができる。
【００５１】
第１図柄部４１と第２図柄部４２とは、互いにデザインが異なるとともに、凹状ライン１８の総面積が互いに異なっている。これによって、異物の収容容量が異なる図柄部４１，４２が存在するため、使用者が汚れの量に応じた図柄部４１，４２を選択することができる。
【００５２】
また、主たる拭き取り域である第１図柄部４１及び第２図柄部４２の周辺には、第３図柄部４３及び第４図柄部４４が位置している。したがって、ワイプスシート１０が揉み解されたときには、第３図柄部４３及び第４図柄部４４が起点となって変形し、中心に位置する第１図柄部４１及び第２図柄部４２の変形を抑制しうるといえる。
【００５３】
第１図柄部４１及び第２図柄部４２は、拭き取り性及び美観の観点から、曲状の凹状ライン１８を有することが好ましい。本実施形態においても、外形線４１Ａ，４２Ａが曲状であって、図柄４１Ｂ，４２Ｂも曲状部分を有している。このように、第１図柄部４１及び第２図柄部４２が曲状の凹状ライン１８を有することによって、柔軟で肌当たりの良い印象を与えることができるとともに、被拭き取り面の形状に合わせて変形し易く、例えば、被拭き取り面の幅狭かつ曲状の溝に沿って図柄部４１，４２を変形して汚れを拭き取ることができる。
【００５４】
使用者は、第１面１１側に凹状ライン１８からなる図柄域４０が位置することによって、第１面１１が拭き取り面であると容易に認識することができる。また第１図柄４１Ｂ及び第２図柄４２Ｂに、音符等の記号及び文字であって第１面１１側から視ると記載内容が正しく、第２面１２側から視ると記載内容が間違うような記号及び文字を使用すれば、より一層、第１面１１が正規の拭き取り面であると容易に認識することができる。したがって、図柄域４０は、使用者に対して第１面１１を拭き取り面として使用するように誘導する機能も有するといえる。
【００５５】
既述のとおり、図柄域４０のうちの第１図柄部４１及び第２図柄部４２が拭き取り域として機能しうるが、第３図柄部４３及び第４図柄部４４についても凹状ライン１８から形成されていることから、一定程度の拭き取り性を有する。したがって、使用者は、拭き取り時において汚れの大小に応じて、第１〜第４図柄部４１〜４４のうちの最適なものを適宜選択して使用することができる。
【００５６】
第１図柄部４１及び第２図柄部４２において、外形線４１Ａ，４２Ａを形成する凹状ライン１８（第１ライン（外側図柄部））は、図柄４１Ｂ，４２Ｂを形成する凹状ライン１８（第２ライン（内側図柄部））よりも全体として幅広になっている。すなわち、外形線４１Ａ，４２Ａを形成する第１ラインの延存方向に対する幅寸法が、図柄４１Ｂ，４２Ｂを形成する第２ラインの延存方向に対する幅寸法よりも大きい。これによって、ワイプスシート１０のデザイン性を向上することができる。外形線４１Ａ，４２Ａが比較的に幅広であることによって、使用者の注意を惹きつけて、それに囲まれた図柄４１Ｂ，４２Ｂをより引き立てることができる。また、拭き取りの際に外形線４１Ａ，４２Ａによって大まかに汚れを拭き取った後に、その内部に位置する比較的に幅狭であって密に集合した図柄４１Ｂ，４２Ｂによってしつこい汚れを掻き取ることができる。
【００５７】
ワイプスシート１０においては、第２方向Ｙの任意に選択した箇所における第１方向Ｘに、複数の図柄部４１〜４４のうち少なくともいずれかの図柄部４１〜４４が存在している。使用者は、例えば、図柄部４１〜４４が存在しない箇所に指が当たっている状態であれば、指を第１方向Ｘへ移動させれば、いずれかの図柄部４１〜４４が存在する箇所があるため、固着している汚れがあれば、指が当たっている箇所を容易に変更することができる。このワイプスシート１０においては、第１方向Ｘの任意に選択した箇所における第２方向Ｙに、複数の図柄部４１〜４４のうち少なくともいずれかの図柄部４１〜４４が存在している。このため、指があたる箇所の変更が一層、容易である。
【００５８】
図柄域４０は、デザインの異なる複数の第１〜第４図柄部４１〜４４を有することによって、ワイプスシート１０の第１方向Ｘの寸法を２等分する第１仮想線Ｐと、第２方向Ｙの寸法を２等分する第２仮想線Ｑとに関して非対称のデザインを有する。したがって、使用者に対して、ワイプスシート１０の縦方向及び幅方向を認識させることができる。このように、ワイプスシート１０の縦横を認識することができる限りにおいて、図柄域４０は、第１仮想線Ｐと第２仮想線Ｑとのいずれか一方に関して非対称であればよい。
【００５９】
ワイプスシート１０においては、第２方向Ｙが製造工程における機械方向、第１方向Ｘが機械方向に交差する方向にそれぞれ対応しており、構成繊維は、主として第２方向Ｙへ配向されている。したがって、拭き取り方向は繊維配向する方向であってシート強度が第１方向Ｘよりも高い第２方向Ｙに沿うことが好ましく、図柄域４０を非対称に配置することによって、第２方向Ｙが拭き取り方向（縦方向）であると認識させることができる。また、第２図柄部４２の図柄４２Ｂのように、第２方向Ｙが縦方向となるように意匠要素を配置することによって、第２方向Ｙへ拭き取るように誘導させることもできる。かかる場合には、第２図柄部４２は、その第１方向Ｘの寸法を２等分する仮想線（図示せず）に対して非対称であるといえる。
【００６０】
再び、図２を参照すると、図柄域４０を形成する凹状ライン１８は、第１方向Ｘへ延びる第２部分８２と、第２方向Ｙへ延びる第１部分８１とを有する。第２部分８２における繊維配向は第２方向Ｙである。このため、第２方向Ｙを拭き取り方向とした場合には所要の引張強度を発揮し、拭き取りの後においても凹状ライン１８の凹形状が崩れることはない。一方、第１部分８１においては、単位面積当たりにおいて、第２部分８２に比べて第２方向Ｙへ配向された繊維数が少なくなっている。このため、第２方向Ｙを拭き取り方向とした場合、第１部分８１の引張強度は、第２部分８２の引張強度よりも小さい。よって、第１部分８１は、第２部分８２と比較すると、拭き取りの後において凹状ライン１８の凹形状がやや崩れることとなる。このため、第１図柄部４１及び第２図柄部４２は、第１方向Ｘへ延びる第２部分８２及び第２方向Ｙへ延びる第１部分８１によって、拭き取りの後における変化態様が異なる。なお、本実施形態では、第１部分８１と第２部分８２とがつながって第１〜第４図柄部４１〜４４を形成している例をしめしたが、第１部分８１と第２部分８２とはつながっていなくてもよい。
【００６１】
ここで、繊維配向とは、ワイプスシート１０の平面視において、繊維が流れている方向（繊維が長く延びている方向）であって、「第２部分８２の繊維配向が第２方向である」とは、第２部分８２を構成する繊維の総重量のうち、１００％が第２方向に繊維配向されているもののほかに、５０％以上が第２方向Ｙに対して−４５°〜＋４５°の範囲で繊維配向性を有するものを含む。かかる繊維配向は、この種の分野において公知の方法、例えば、ＴＡＰＰＩ標準法Ｔ４８１の零距離引張強さによる繊維配向性試験法に準じた測定方法によって測定することができる。また、簡易的な方法として、後記の引張試験機を使用して第２部分８２の第１方向Ｘと第２方向Ｙとにおける引張強度比（第１方向Ｘ／第２方向Ｙ）から繊維配向を測定してもよい。
【００６２】
第１部分８１は、それが直線状である場合には、第１仮想線Ｐに沿って延びる部分であり、第２部分は、それが直線状である場合には、第２仮想線Ｑに沿って延びる部分である。一方、例えば、第１図柄部４１及び第２図柄部４２の外形線４１Ａ，４２Ａのように曲状を有する場合には、第１部分８１は、第１方向Ｘへ凸となる部分であって、第２部分８２は、第２方向Ｙへ凸曲した部分である。
【００６３】
例えば、第１図柄部４１及び第２図柄部４２の図柄４１Ｂ，４２Ｂとして第２方向Ｙを上下とするキャラクターデザイン等を採用する場合には、その上下部分（例えば、頭部と胴体）の外形輪郭や上下の寸法バランスが崩れることはなく、拭き取り後や、例えば、第２方向Ｙへ摩擦抵抗が生じるように包装パッケージから取り出した場合においても、そのデザイン形状を維持することができる。
【００６４】
凹状ライン１８の第１部分８１においても、繊維の配向する方向である第２方向Ｙを拭き取り方向とした場合には、その形状が崩れ難く、その幅寸法が狭くなる傾向がある。一方、第１方向Ｘを拭き取り方向とした場合であって、凹状ライン１８に繊維の配向する方向と交差する方向である第１方向Ｘへ引っ張る力が作用したときには、第１部分８１の幅寸法が拡がる。したがって、図柄４１Ｂ，４２Ｂとして第２方向Ｙを上下とするキャラクターデザインを採用する場合には、拭き取り後や第１方向Ｘ或いは 第２方向Ｙへ摩擦抵抗が生じるように包装パッケージから取り出した場合には、その幅寸法が拡げられるような態様となるが、その外観イメージは維持されて、むしろ乳幼児の好む丸みのあるようなキャラクターデザインへと変化させることができる。
【００６５】
図示していないが、第１及び第２図柄部４１，４２の図柄４１Ｂ，４２Ｂとして、図形デザインと文字との観念的な組み合わせからなるものを採用してもよい。例えば、キャラクターが両手にハート状のプラカードを持った図形デザインにおいて、プラカード内に「大好き！／Ｉ  ＬＯＶＥ  ＹＯＵ！」等の文字を配置することによって、図形デザインと文字とが互いに対応して共通の観念を想起させることから、意匠性が向上して使用者の購買意欲を惹起することができるとともに、被使用者である乳幼児の興味を引きつけることができる。
【００６６】
また、例えば、笑顔のキャラクターデザインとともに、「おはよう」「ごちそうさま」等の使用者である母親と、被使用者である乳幼児とが交わす日常会話の一部からなる文字との組み合わせからなるデザインを採用することもできる。このように、乳幼児が未だに覚えていない又は覚えたばかりの単語を図柄４１Ｂ，４２Ｂに採用し、使用時において親子で復唱することによって該単語を乳幼児の記憶に定着させることができる。このように、図柄域４０は、ワイプスシート１０を通じて親子間で会話が生まれて良好なコミュニケーションを図ることのできるツールの一つとしての機能を備えることもできる。
【００６７】
以上のように、ワイプスシート１０は、視認性が高く独自性に優れたデザインを有するものであることから、従来のワイプスシートとは異なり、図柄部分がシームレスに形成された高級なハンカチーフのような美的外観を有する。したがって、他製品との差別化を実現することによって、使用者が比較的に女性の若年層であっても、躊躇することなく、むしろ積極的にワイプスシートを外出時に携帯して使用することができる。また、図柄域４０として企業のロゴデザインを採用した場合には、使用者に対して効果的にブランドを認知させることができ、優れた宣伝広告機能を発揮しうる。したがって、ワイプスシート１０は、ワイプスとしての基本的機能と消費者の購入意欲を惹起するような情緒的な価値との両方を併せ持つものといえる。
【００６８】
第１面１１側において、凹状ライン１８を除いた箇所は平坦である一方、凹状ライン１８が存在する部分には、低密度領域５１の凹部と、その両側部に位置する高密度領域５２とが存在する。このため、第１面１１側で拭き取りをする場合には、高密度領域５２の外側に異物を溜めながら拭き取りをすることができる。
【００６９】
第２面１２側において、第１面１１側に凹状ライン１８が存在する箇所を除いた反対側の部分は平坦である一方、第１面１１側に凹状ライン１８が存在する箇所の反対側には、突出部分５４が存在する。突出部分５４は、凹状ライン１８の縁に沿って２条存在し、凹状ライン１８の延在方向に沿って延びている。このため、第２面１２側で拭き取りをする場合には、突出部分５４で異物を掻き取りながら拭き取りをすることができる。
【００７０】
よって、このワイプスシート１０では、拭き取り機能が異なる第１面１１と第２面１２とを有しているため、様々なよごれ（異物）に対応することができる。
【００７１】
図示していないが、ワイプスシート１０を使用する場合には、第２拭き取り面である第２面１２を内側にして２つに折り曲げて使用する場合がある。かかる使用態様においては、折り重ねられた部分の第２面１２どうしが互いに接触し、拭き取り操作をしている間に接触部分がズレて、拭き取り面に対して十分に力が作用しないおそれがある。ワイプスシート１０では、第２面１２側に位置する高密度領域５２の突出部分５４が対向面に引っ掛かってそれらの折り重ねられた部分の摺動を妨げるストッパーとして機能し、拭き取り操作中におけるかかるシートどうしのズレを抑制し、拭き取り面に対して十分に力を伝えて拭き取りを行うことができる。
【００７２】
本実施形態においては、１枚のワイプスシート１０において、独立かつ閉鎖した外形線４１Ａ，４２Ａを有する図柄部４１，４２が複数存在しているが、デザイン性及び拭き取り性を考慮して、少なくとも１つの図柄部４１，４２が存在していればよい。また、ワイプスシート１０ごとに異なるデザインの図柄域４０を有することによって、使用者が複数のワイプスシート１０が収容された容器から取り出すときに、次々に異なるデザインを有するものが引き出されることになるので、使用者は楽しみながらポップアップすることができる。
【００７３】
図５を参照すると、使用者が、ワイプスシート１０を使用する前に、第１方向Ｘにおける両側をそれぞれ手８，９で掴んで引っ張って、繊維どうしの絡合を解すことによってワイプスシート１０の横幅を拡げて使用することがある。特に、インドネシア等の東南アジア諸国においては、ワイプスシート１０に限らず、ウエットティッシュやキッチンシートを使用する場合であっても、シートを引き延ばすように引っ張って、シート強度を確かめるとともに、シート面積を拡げて利用することがある。ワイプスシート１０は、全体として繊維配向が第２方向Ｙであるため、第１方向Ｘへ引っ張ったときには、第１方向Ｘにおける寸法（幅寸法）Ｗ１が大きくなる一方、第２方向Ｙへ引っ張ったときには、第２方向Ｙにおける寸法（長さ寸法）は、わずかにその寸法が大きくなるが、その変化量は、第１方向Ｘに比べてわずかである。
【００７４】
図６（ａ）を参照すると、ワイプスシート１０が第１方向Ｘへ引っ張られることによって、図柄域４０のみならずそれ以外の領域においても繊維の絡合が解けて、ワイプスシート１０全体の第１方向Ｘにおける寸法（幅寸法）Ｗ１が大きくなる。具体的には、第１方向Ｘの引張力Ｆ１，Ｆ２が作用することによって、ワイプスシート１０の幅寸法Ｗ２は、引っ張られる前の幅寸法Ｗ１の１．１〜１．５倍の大きさを有する。
【００７５】
図６（ｂ）を参照すると、図柄域４０を形成する凹状ライン１８は、繊維の交絡によって形成されており柔軟かつ変形容易であるから、引張力Ｆ１，Ｆ２が作用することによって、繊維の絡合が解かれて凹状ライン１８全体において第１方向Ｘにおける線幅が拡げられ、第１〜第４図柄部４１〜４４は、その外形寸法が大きくなる。具体的には、ワイプスシート１０が、ウエット状態において、第１方向Ｘへ３０％伸長された状態における第１部分８１の幅寸法Ｗ４は、引っ張られる前の第１部分８１の幅寸法Ｗ３の１．５〜２．５倍である。
【００７６】
このように、第１方向Ｘへ引っ張ることによって、凹状ライン１８の幅寸法Ｗ３が拡げられて幅寸法Ｗ４となって寸法が大きくなるので、拭き取り面積が大きくなり、拭き取り性がより向上する。また、従来のワイプスシートのように、凹状ラインがエンボス加工によって賦形された場合には繊維が硬化して一部フィルム化することによって引張力Ｆ１，Ｆ２が作用したときに肉薄の底部１８ａが伸長されずに破断するおそれがあるが、凹状ライン１８は繊維の交絡によって賦形されて伸長性を有することから、第１方向Ｘへ引っ張ったときに底部１８ａにおいて繊維の絡合が解れながら次第に幅寸法Ｗ３が拡げられ、底部１８ａの一部が破断するのを抑制することができる。
【００７７】
「第１方向Ｘに引っ張る力」は、図示例のように、使用者がワイプスシート１０の第１方向Ｘにおける両側を把持して相反する方向へ引っ張り合うことによって生じる力Ｆ１，Ｆ２のほかに、ワイプスシート１０の一方側部を固定した状態で、他方側部を一方側部と離間する方向へ引っ張る場合を含む。
【００７８】
また、凹状ライン１８の幅寸法Ｗ３が拡げられることによって、第１〜第４図柄部４１〜４４の輪郭がよりはっきりと表れて視認性が向上する。図示していないが、例えば、ワイプスシート１０を第１方向Ｘへ引っ張られる前においては凹状ライン１８の幅寸法Ｗ３が比較的に小さくその外形が視認し難い場合や全体外形が幅狭な印象を与える歪なデザインである場合において、ワイプスシート１０を第１方向Ｘへ引っ張ることによって幅寸法Ｗ４となり、その外形がはっきりとして視認され易くなり、幅狭で歪な印象を与えていたデザインが拡げられて、均整のとれた形状に変化させることができる。
【００７９】
第２部分８２は第２方向Ｙへ繊維配向されているのに対し、第１部分８１においては、第１方向Ｘと第２方向Ｙとの繊維が配向されていることから、ワイプスシート１０を第１方向Ｘへ引っ張ったときに、第２部分８２の第２方向Ｙにおける幅寸法に比べてその第１方向Ｘにおける幅寸法が大きくなるといえる。第１部分８１の第１方向Ｘにおける幅寸法が拡げられることによって各図柄部４１〜４４の外形がより明瞭になるとともに、第１部分８１はその形状が保持されるので、各図柄部４１−４４の全体形状の均整が大きく乱れることはない。また、図柄４１Ｂ，４２Ｂが、第２方向Ｙが上下であるキャラクターデザイン等である場合には、乳幼児等が好むような、その横幅が拡がって丸みのある形状に変化させることができる。
【００８０】
図７（ａ）を参照すると、ワイプスシート１０を第１方向Ｘへ引っ張る前の状態において、中間繊維層２３に位置するパルプ繊維２８は、疎水性の第１面１１の外部に露出されていない。ワイプスシート１０がウエットな状態において、パルプ繊維２８は、薬剤を吸収保持する吸収層を構成するものであるから、このように、疎水性層に囲まれて外部に露出しないことによって、外気に曝されることはなく、乾燥を防いで薬剤の揮発を抑制することができる。
【００８１】
図７（ｂ）を参照すると、ワイプスシート１０を第１方向Ｘへ少なくとも５％引張した後の状態において、凹状ライン１８の底部１８ａを構成する繊維の絡合が解かれて中間繊維層２３に位置するパルプ繊維２８の一部が、第１繊維層２１を構成する繊維の繊維間隙の間を通過して第１面１１から外部に露出されている。このように、使用時に、使用者がワイプスシート１０を第１方向Ｘへ引っ張って拡げることによって、凹状ライン１８が幅広となり、かつ、パルプ繊維２８が外部に露出されるので、底部１８ａが被拭き取り面に接触したときに、パルプ繊維２８に吸収された薬剤によって衛生的に拭き取ることができる。
【００８２】
このように、使用する際に、凹状ライン１８において、疎水性である第１面１１の表面をパルプ繊維及び他の親水性繊維を第１面１１の表面に露出させ、第１面１１を疎水性面から親水性面へと変えることによって、凹状ライン１８における拭き取り性が向上する。
【００８３】
なお、使用前におけるパルプ繊維２８の乾燥を防止するために、第１面１１を形成する第１繊維層２１の表面にシリコン等の撥水剤を塗布して撥水処理を施してもよい。
【００８４】
第１面１１の表面が撥水性を有する場合には、平滑性が向上するので、収容容器からウエット状態のワイプスシート１０をポップアップする際に、次のワイプスシート１０が一緒に引き出される（ズル）を抑制することができる。また、ワイプスシート１０の第１面１１に凹状ライン１８が形成されていることによって、積層状態で互いに当接するワイプスシート１０どうしの対向面の接触面積が減少するので、よりズルを抑制して引き出し易くなる。
【００８５】
ワイプスシート１０は、ウエット状態において、第１方向Ｘへ引っ張ったときの５％伸長時の引張強度が０．０５〜１．０Ｎ／２５ｍｍ、好ましくは、０．１５〜０．５Ｎ／２５ｍｍである。第１方向Ｘにおける引張強度が０．０５Ｎ／２５ｍｍ未満の場合には、引張強度が低すぎて、製造工程において機械方向へ搬送されたときに底部１８ａの一部が破断したり、使用時に第１方向Ｘへ引っ張ったときに底部１８ａが伸び過ぎてシート形状が崩れてしまったり、一部が破断したりするおそれがある。第１方向Ｘにおける引張強度が１．０Ｎ／２５ｍｍを超える場合には、引張強度が高くなり過ぎて、使用者が使用前に軽く引っ張る程度の力では、底部１８ａが伸び難くなり凹状ライン１８の幅寸法Ｗ４が拡がらなくなる。
【００８６】
また、ウエット状態において、ワイプスシート１０を第１方向Ｘへ引っ張ったときの最大伸度は、２．０〜３．０倍、第２方向Ｙへ引っ張ったときの最大伸度は、１．２〜１．８倍である。ここで、ワイプスシート１０の最大伸度とは、測定前の幅寸法Ｗ１の大きさを１．０倍としたものであって、例えば、ワイプスシート１０の幅寸法Ｗ１が１００ｍｍであって引っ張って破断したときの幅寸法Ｗ２が２００ｍｍとなった場合には、最大伸度は２．０倍となる。
【００８７】
＜最大引張強度、最大伸度及び引張時の凹状ラインの幅寸法の測定方法＞
図８を参照すると、ワイプスシート１０に薬剤を含浸（保水率２５０％）させた後に、ワイプスシート１０を第１方向Ｘの中央に第２図柄部４２が位置するように切断具でカットして、第１方向の長さ寸法１５０ｍｍ×第２方向Ｙの長さ寸法２５ｍｍの短冊状の試験片９３とした。試験片９３の第２図柄部４２を形成する凹状ライン１８のうち、第１部分８１の両対向縁（両側部１８ｂ）の一部には、それらに沿って赤ペンで目印Ｔ１，Ｔ２を付し、測定する前に目印Ｔ１，Ｔ２間の離間距離Ｒ１を定規で測定した。
【００８８】
次に、引張試験機（島津製作所（株）製、オートグラフ、型式ＡＧＳ−１ｋＮＧ）を使用して、固定チャック９１と可動チャック９２との間に第１方向Ｘが縦方向となるように試験片９３を配置し、チャック間距離Ｌ１が１００ｍｍ、引張速度が１２０ｍ／ｍｉｎの条件下で最大引張強度及び最大伸度を測定した。第２方向Ｙにおける最大伸度についても、試験片９３をその第２方向Ｙが試験機の縦方向（上下方向）となるように配置して同様の方法で測定した。
【００８９】
可動チャック９２を固定チャック９１と離間する方向へ移動させて、チャック間距離Ｌ１が１０５ｍｍ（伸度５％）時における最大引張強度（Ｎ／２５ｍｍ）を求めた。また、チャック間距離Ｌ１を拡げて試験片が破断したときの引張強度を最大引張強度、伸度を最大伸度（倍）とした。さらに、チャック間距離Ｌ１が１３０ｍｍ（伸度３０％）時の第１部分８１の目印Ｔ１，Ｔ２の離間距離Ｒ２を定規で測定し、離間距離比（Ｒ２／Ｒ１）によって、第１部分８１の最大伸度（倍）を算出した。なお、ワイプスシートがドライ状態においても、同様の測定方法によって、第１方向Ｘ及び第２方向Ｙの最大伸度、最大引張強度を求めることができる。
【００９０】
＜ワイプスシートの製造方法＞
本発明に係るワイプスシート１０は、この種の分野において通常使用されるワイプス用の繊維不織布シートと同様の製造装置、例えば、繊維ウエブ形成部、繊維ウエブに水を含ませる水供給部、繊維を交絡して再配列するための水流噴射部（工程）、脱水部（脱水機）、乾燥部（乾燥機）を含む製造装置を使用することができる。ワイプスシート１０の製造装置、製造工程の一部について、以下に説明する。
【００９１】
まず、ワイプスシート１０の基材として、各種公知の製法によって製造された繊維集合体を積層してなる繊維ウエブを形成する。繊維ウエブは、例えば、カード法で形成された繊維集合体、エアレイド法で形成された繊維集合体、湿式法で形成された繊維集合体、スパンボンド法、メルトブローン法で形成された繊維集合体等を積層して形成することができる。本実施形態においては、繊維ウエブは、ワイプスシート１０の第１及び第２繊維層２１，２２に対応したカード法で形成された繊維集合体間に中間繊維層２３に対応したエアレイド法で形成された繊維集合体を介在させて積層した複層構造を有する。
【００９２】
繊維ウエブは、繊維交絡及び図柄域４０を形成する凹状ライン１８に対応した凹状部分を賦形するための水流噴射（ウォータージェット）工程の前に、予め水を含ませておくことが好ましい。水流噴射工程において繊維を交絡する前に繊維ウエブに水を含ませておくことによって、繊維間隙が水で埋められて、繊維密度が高くなる。それによって、水流噴射工程において、水流によって繊維が飛散して繊維ウエブの繊維密度が不均一になり、繊維ウエブの地合いが乱れるのを抑制することができる。このように、事前に水を含ませる場合には、繊維間隙を水で埋めることが目的なので、繊維が移動する程の水圧を要さず、スプレーによって水を吹き掛けてもよい。
【００９３】
図９は、繊維ウエブ１０１に図柄域４０の凹状ライン１８に対応した凹状部分１２２を形成する水流噴射工程１００の斜視図である。水流噴射工程１００は、機械方向ＭＤへ搬送された繊維ウエブを外周面に保持するサクションドラム１０６と、サクションドラム１０６の外周面上に位置する繊維ウエブに水流を噴射するノズルプレート１０７とを含む。繊維ウエブ１０１は、サクションドラム１０６の外周面上においてノズルプレート１０７と対向する第１面１０１ａと、その反対側に位置するサクションドラム１０６の外周面と対向する第２面１０１ｂとを有する。
【００９４】
サクションドラム１０６は、線状凸部１２０を有する賦形支持体１０６ａを備える。賦形支持体１０６ａの外周面は複数の吸引管１２１を有するメッシュ状であって、賦形支持体１０６ａを軸線Ｋ１周りに回転させながら、繊維ウエブ１０１を賦形支持体１０６ａに吸引して外周面に保持させつつ、下流側搬送手段（図示せず）を介して脱水機（図示せず）へ搬送する。ノズルプレート１０７は、サクションドラム１０６の外周面に保持された繊維ウエブ１０１の第１面１０１ａ側へ向かって水を噴射して、繊維どうしを交絡させるとともに賦形支持体１０６ａの外周面に位置する線状凸部１２０に押し付けることによって、繊維ウエブ１０１の第２面１０１ｂ側には凹凸パターンが付与される。線状凸部１２０は、賦形支持体１０６ａの外周面と一体又は別体に形成されている。
【００９５】
図示していないが、脱水機の搬送ベルトによってさらに機械方向ＭＤへ搬送された繊維ウエブ１０１は、ドライ状態で使用するワイプスシートとして使用される場合には乾燥機に搬送され、一方、ウエット状態で使用するワイプスシート１０して使用される場合には、乾燥機を経て又は経ずに、薬剤や香料を含む液体を含浸するための液供給手段へ搬送される。繊維ウエブはそれらの工程を経た後に、切断手段によって適当な大きさにカットされる。なお、乾燥機においては、繊維ウエブ１０１を構成する熱融着性繊維の一部が熱融着して、シート強度が向上する。
【００９６】
ノズルプレート１０７においては、サクションドラム１０６の賦形支持体１０６ａの外周面に保持された繊維ウエブ１０１の第１面１０１ａに対して交差方向ＣＤに並ぶ複数のノズルが水を噴射する。繊維ウエブ１０１は、サクションドラム１０６の上流に位置するサクションドラム（図示せず）において予備的に繊維交絡がされて繊維どうしが弱い力で交絡されて全体として平坦状であるところ、外周面の吸引管１２１から吸引されながらノズルプレート１０７から噴射された水流によって繊維ウエブ１０１を賦形支持体１０６ａの外周面に位置する線状凸部１２０に押し当てられる。
【００９７】
図１０（ａ）は、サクションドラム１０６において、水流が噴射される前の線状凸部１２０上の繊維ウエブ１０１の拡大図、図１０（ｂ）は、サクションドラムにおいて、流体が噴射された後の線状凸部１２０上の繊維ウエブ１０１の拡大図である。
【００９８】
図１０（ａ），（ｂ）を参照すると、線状凸部１２０においては繊維が吸引されていないことから、線状凸部１２０上に位置していた繊維が周辺に移動するように再配列されて線状凸部１２０に対応する繊維ウエブ１０１の第２面１０１ｂ側には、第１面１０１ａ側へ凹となる凹状部分１２２が形成される。
【００９９】
線状凸部１２０は、ワイプスシート１０の第１、第２及び第４図柄部４１，４２，４４に対応した異なるデザインを有する第１、第２及び第３線状凸部１２０ａ，１２０ｂ，１２０ｃを有する。線状凸部１２０は、賦形支持体１０６ａの外周面から突出した部分であるから、図示した態様のほかに、キャラクターや企業ロゴ等の様々なデザインを採用して繊維ウエブ１０１に賦形することができる。
【０１００】
線状凸部１２０は、賦形支持体１０６ａの外周全体に配置されており、製造されたすべてのワイプスシート１０にも少なくとも１つの独立かつ閉鎖したデザインを有する図柄部が配置されるようなパターンを有している。また、線状凸部１２０の高さは、賦形するデザインに応じてその延在方向において線幅及び高さが変化するように設計されている。
【０１０１】
繊維ウエブ１０１のうちの線状凸部１２０上に位置する肉薄部分（凹状部分１２２の底部）１２４では、水流によって周辺に繊維が移動し、かつ、吸引管１２１によって吸引されていないことから、周辺域に比べて繊維密度が低くなっている。
【０１０２】
一方、肉薄部分１２４を囲むようにその外周縁に位置する第１部分１３１には線状凸部１２０上から移動した繊維が溜まって比較的に繊維密度が高くなっている。また、第１部分１３１からさらに外方に延びる第２部分１３２においては、肉薄部分１２４よりも繊維密度が高く、かつ、第１部分１３１よりも繊維密度が低くなっている。
【０１０３】
また、繊維ウエブ１０１の中間繊維層に位置するパルプ繊維は、上下層に位置する熱融着繊維に比して繊維長が短く、繊維集合体において繊維どうしの絡合が弱いことから水流によって移動しやすくなっている。したがって、線状凸部１２０上に位置する肉薄部分１２４からなる低密度領域においては、パルプ繊維が周辺に飛ばされるように移動してパルプ繊維の質量が第１及び第２部分１３１，１３２に比べて低くなっている。
【０１０４】
かかる水流噴射工程によって繊維ウエブ１０１に繊維の絡合によって形成されたデザイン模様を賦形することができ、繊維ウエブ１０１の凹状部分１２２、第１部分１３１及び第２部分１３２が、それぞれ、ワイプスシート１０の凹状ライン１８（低密度領域５１），高密度領域５２及び中密度領域５３に相当する。
【０１０５】
従来、スパンレース繊維不織布の製造工程においては、サクションドラムの賦形支持体に形成された凹状部分に繊維を押し込むようにして凹状パターンを賦形する方法がある。かかる製法においては、凹状部分において繊維が吸引されるので、繊維が存在しないか、若しくは、凹状部分の延在方向へ延びる大きな開孔が形成される。したがって、例えば、本実施形態に係る図柄域４０のような繊維ウエブに独立かつ閉鎖した図柄を賦すために、凹状部分を独立かつ閉鎖した形状に形成した場合には、凹状部分にその延在方向へ連続する開孔が形成され、製造工程中に凹状部分に囲まれた部分が抜け落ちるおそれがある。
【０１０６】
本製造方法によれば、サクションドラム１０６の賦形支持体１０６ａの外周面に配置された線状凸部１２０によって繊維が再配向されて繊維ウエブ１０１の第２面１０１ｂ側に凹状部分１２２が賦形されることから、線状凸部１２０に位置する肉薄部分１２４にはその延在方向へ比較的に大きな開孔が形成されることなく、製造工程中において線状凸部１２０に囲まれた部分が抜け落ちることはない。このように、水流に向かって凸となる線状凸部１２０によって繊維ウエブ１０１を賦形することによって、繊維の交絡のみによって独立かつ閉鎖的な様々なデザイン、例えば、キャラクター、文字、図形、記号、それらの組み合わせ等を様々なサイズで採用することができる。
【０１０７】
ワイプスシート１０の製造方法の一例として、水流交絡によるスパンレース製法を例示したが、流体処理による繊維交絡によって凹状ライン１８を形成することができる限りにおいて、水のほかに、空気、水蒸気等の流体による製法を採用することもできる。
【０１０８】
本明細書においては、ワイプスシート１０としての技術的効果について重点的に述べたが、本発明に係る繊維不織布シートは、ワイプス用に限らず、生理用ナプキンや使い捨ておむつ、母乳パッド等の衛生用品の構成材料としても使用しうる。特に、図柄域４０の第１図柄部４１及び第２図柄部４２が、繊維の交絡による凹状ライン１８によって形成された独立かつ閉鎖した外形線４１Ａ，４２Ａを有することから、全体として柔軟なデザイン性に優れたものであって、衛生用品のうちの肌に接するシート材料として好適に用いることができる。
【０１０９】
ワイプスシート１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている、「第１」、「第２」、「第３」及び「第４」の用語は、同様の要素、位置等を単に区別するために用いている。
【符号の説明】
【０１１０】
１０    繊維不織布シート（ワイプスシート）
１１    第１面
１２    第２面
１８    凹状ライン
２１    第１繊維層
２２    第２繊維層
２３    中間繊維層
５１    低密度領域
５２    高密度領域
５４    突出部
８１    第１部分
８２    第２部分
Ｘ      第１方向
Ｙ      第２方向
Ｚ      厚さ方向
【図１】
2019119956.tif 000003
【図２】
2019119956.tif 000004
【図３】
2019119956.tif 000005
【図４】
2019119956.tif 000006
【図５】
2019119956.tif 000007
【図６】
2019119956.tif 000008
【図７】
2019119956.tif 000009
【図８】
2019119956.tif 000010
【図９】
2019119956.tif 000011
【図１０】
2019119956.tif 000012